【事件の表示】
　特願２００８−２２０７８３「記録装置および記録方法」拒絶査定不服審判事件〔平成２１年　３月１９日出願公開、特開２００９−　６０６１０〕について、次のとおり審決する。
【結　論】
　本件審判の請求は、成り立たない。
【理　由】
第１．経緯 
１．手続
　本願は、特許法第４１条に基づく優先権主張を伴う平成９年２月１７日に出願した特願平９−３２２００号(優先日：平成８年４月１７日、特願平８−９５４９８号)の一部を、平成１７年４月２２日付で新たな特許出願とした特願２００５−１２４４２１号の一部を、平成１８年３月６日付で新たな特許出願とした特願２００６−５８８４８号の一部を、平成２０年８月２９日付で新たな特許出願としたものであって、その出願と同日の平成２０年８月２９日付で手続補正書が提出され、平成２３年２月１７日付で拒絶の理由が通知され、平成２３年４月２１日付で意見書・手続補正書が提出され、平成２３年１２月９日付で最後の拒絶理由として拒絶の理由が通知され、平成２４年３月２１日付で意見書・手続補正書が提出され、平成２４年４月４日付で、平成２４年３月２１日付手続補正書による手続補正が却下されると共に拒絶査定がなされたものである。
　本件は、上記拒絶査定を不服として平成２４年８月１０日に請求された拒絶査定不服審判であって、その審判請求と同時に手続補正書が提出され、当審において、前置報告書の内容について審判請求人の意見を求めるために、平成２４年１０月３１日付で審尋がなされ、平成２５年２月６日付で回答書が提出されている。
　 
２．査定 
　平成２４年４月４日付の原査定の理由は、概略、以下のとおりである。 
 　 
　本願の請求項１〜６に係る発明は、いずれも、その出願前日本国内又は外国において頒布された下記の各刊行物に記載された発明に基いて、その出願前にその発明の属する技術の分野における通常の知識を有する者が容易に発明をすることができたものであるから、特許法第２９条第２項の規定により特許を受けることができない。 
 　　
　　　　　　　　　　　引　用　文　献　等　一　覧
１．特開平７−１８４１６０号公報
２．特開平６−６０６２０号公報
３．特開平７−１６８８５５号公報
４．特開平７−３１９６６０号公報
　
第２．補正の却下の決定 
　平成２４年８月１０日付の手続補正について次のとおり決定する。 
 　 
《結論》 
　平成２４年８月１０日付の手続補正を却下する。 
 　 
《理由》 
１．補正の内容 
　平成２４年８月１０日付の手続補正（以下「本件補正」という。）は、補正前の請求項１〜６(平成２３年４月２１日手続補正書で補正されたもの。平成２４年４月４日付で平成２４年３月２１日付手続補正書による手続補正は既に却下されている。)である、
　
『【請求項１】
被写体映像を電気信号に変換する撮像手段と、
前記撮像手段から出力された映像データを記録媒体に記録再生する記録再生手段と、
前記記録媒体に記録された複数の映像データに関する情報を一覧表示し、所定の処理を実行させるために画面の表示形態を切り替えて表示する表示手段と、
前記表示手段の画面に表示された複数の映像データに関する情報を処理するときに操作される操作スイッチ手段と、
前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段と、を有することを特徴とする撮像装置
【請求項２】
請求項１記載の撮像装置であって、
更に、前記映像データに対する所定の機能を表示する機能選択表示画面を前記表示手段に表示させるときに操作される機能スイッチ手段を有し、
前記制御手段は、前記機能選択表示画面において前記操作スイッチ手段により前記所定の機能が選択されると、前記表示手段の前記表示形態を切り替えるとともに、前記切り替えられた表示形態に応じて設定された前記操作スイッチ表示による処理内容をガイド表示するように制御することを特徴とする撮像装置。
【請求項３】
請求項１記載の撮像装置であって、
更に、前記映像データに対する所定の機能を表示する機能選択表示画面を前記表示手段に表示させるときに操作される機能スイッチ手段を有し、
前記操作スイッチ手段は、
前記一覧表示された前記複数の映像データに関する情報の一つである縮小画から所望の縮小画を選択し、または、前記機能選択表示画面において前記所定の機能を選択するときにに操作される選択スイッチ手段と、
前記選択スイッチ手段で選択された縮小画に対応する映像データを再生し、または、前記選択スイッチ手段で選択された機能を実行するときに操作される再生スイッチ手段と、を有し、
前記制御手段は、前記再生スイッチ手段の操作により、前記選択スイッチ手段で選択された縮小画に対応する映像データが再生されるのか、または、前記選択スイッチ手段で選択された機能が実行されるのかを、ガイド表示するように制御する、
ことを特徴とする撮像装置。
【請求項４】
請求項３記載の撮像装置であって、
前記制御手段は、前記再生スイッチ手段の操作により、前記選択スイッチ手段で選択された縮小画に対応する撮像データが再生される場合、前記操作スイッチ表示による処理内容が「再生」とガイド表示するように制御し、前記再生スイッチ手段の操作により、前記選択スイッチ手段で選択された機能が実行される場合、前記操作スイッチ表示による処理内容が「決定」とガイド表示するように制御する、
ことを特徴とする撮像装置。
【請求項５】
請求項３又は４記載の撮像装置であって、
前記選択スイッチ手段は、前記映像データの再生中において、前記映像データを早送りまたは巻戻しするときに操作されること、
を特徴とする撮像装置。
【請求項６】
請求項３乃至５のいずれかに記載の撮像装置であって、
前記映像データの再生中に前記映像データの再生を停止するとき、または、前記機能選択表示画面の表示中に機能の選択を中止するときに操作される停止スイッチ手段と、
を備え、
前記制御手段は、該停止スイッチ手段の操作により、前記機能の選択を中止可能な状態である場合、その旨を前記表示手段がガイド表示するように制御すること、
を特徴とする撮像装置。』
　
　を、
　
『【請求項１】
　被写体映像を電気信号に変換する撮像手段と、
　前記撮像手段から出力された映像データを記録媒体に記録再生する記録再生手段と、
　前記記録媒体に記録された複数の映像データに関する情報を一覧表示し、所定の処理を実行させるために画面の表示形態を切り替えて表示する表示手段と、
　前記表示手段の画面に表示された複数の映像データに関する情報を処理するときに操作される操作スイッチ手段と、
　前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段と、を
有し、
　
データを削除する場合に、一時廃棄場所にデータ移動した後、一時廃棄場所に含まれるデータを削除する二段階削除とする
　ことを特徴とする撮像装置。
【請求項２】
　請求項１記載の撮像装置であって、
　更に、前記映像データに対する所定の機能を表示する機能選択表示画面を前記表示手段に表示させるときに操作される機能スイッチ手段を有し、
　前記制御手段は、前記機能選択表示画面において前記操作スイッチ手段により前記所定の機能が選択されると、前記表示手段の前記表示形態を切り替えるとともに、前記切り替えられた表示形態に応じて設定された前記操作スイッチ表示による処理内容をガイド表示するように制御する
　ことを特徴とする撮像装置。
【請求項３】
　請求項１記載の撮像装置であって、
　更に、前記映像データに対する所定の機能を表示する機能選択表示画面を前記表示手段に表示させるときに操作される機能スイッチ手段を有し、
　前記操作スイッチ手段は、
　前記一覧表示された前記複数の映像データに関する情報の一つである縮小画から所望の縮小画を選択し、または、前記機能選択表示画面において前記所定の機能を
選択するときに
　前記選択スイッチ手段で選択された縮小画に対応する映像データを再生し、または、前記選択スイッチ手段で選択された機能を実行するときに操作される再生スイッチ手段と、を有し、
　前記制御手段は、前記再生スイッチ手段の操作により、前記選択スイッチ手段で選択された縮小画に対応する映像データが再生されるのか、または、前記選択スイッチ手段で選択された機能が実行されるのかを、ガイド表示するように制御する、
　ことを特徴とする撮像装置。
【請求項４】
　請求項３記載の撮像装置であって、
　前記制御手段は、前記再生スイッチ手段の操作により、前記選択スイッチ手段で選択された縮小画に対応する撮像データが再生される場合、前記操作スイッチ表示による処理内容が「再生」とガイド表示するように制御し、前記再生スイッチ手段の操作により、前記選択スイッチ手段で選択された機能が実行される場合、前記操作スイッチ表示による処理内容が「決定」とガイド表示するように制御する、
　ことを特徴とする撮像装置。
【請求項５】
　請求項３又は４記載の撮像装置であって、
　前記選択スイッチ手段は、前記映像データの再生中において、前記映像データを早送りまたは巻戻しするときに操作される
　こと、を特徴とする撮像装置。
【請求項６】
　請求項３乃至５のいずれかに記載の撮像装置であって、
　前記映像データの再生中に前記映像データの再生を停止するとき、または、前記機能選択表示画面の表示中に機能の選択を中止するときに操作される停止スイッチ手段と、を備え、
　前記制御手段は、該停止スイッチ手段の操作により、前記機能の選択を中止可能な状態である場合、その旨を前記表示手段がガイド表示するように制御する
　こと、を特徴とする撮像装置。』
　
　と補正するものであって、以下の補正事項を含むものである。
　
［補正事項１］
　補正前の請求項１(平成２３年４月２１日手続補正書で補正されたもの)に、
　
「【請求項１】
被写体映像を電気信号に変換する撮像手段と、
前記撮像手段から出力された映像データを記録媒体に記録再生する記録再生手段と、
前記記録媒体に記録された複数の映像データに関する情報を一覧表示し、所定の処理を実行させるために画面の表示形態を切り替えて表示する表示手段と、
前記表示手段の画面に表示された複数の映像データに関する情報を処理するときに操作される操作スイッチ手段と、
前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段と、を有することを特徴とする撮像装置」
　
　とあるのを、
　
「【請求項１】
　被写体映像を電気信号に変換する撮像手段と、
　前記撮像手段から出力された映像データを記録媒体に記録再生する記録再生手段と、
　前記記録媒体に記録された複数の映像データに関する情報を一覧表示し、所定の処理を実行させるために画面の表示形態を切り替えて表示する表示手段と、
　前記表示手段の画面に表示された複数の映像データに関する情報を処理するときに操作される操作スイッチ手段と、
　前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段と、を
有し、
　
データを削除する場合に、一時廃棄場所にデータ移動した後、一時廃棄場所に含まれるデータを削除する二段階削除とする
　ことを特徴とする撮像装置。」
　
　と補正する。
　
[補正事項２]
　補正前の請求項３の「前記一覧表示された前記複数の映像データに関する情報の一つである縮小画から所望の縮小画を選択し、または、前記機能選択表示画面において前記所定の機能を選択するときにに操作される選択スイッチ手段」を「前記一覧表示された前記複数の映像データに関する情報の一つである縮小画から所望の縮小画を選択し、または、前記機能選択表示画面において前記所定の機能を
選択するときに
　
２．本件補正の適合性
２．１．補正の目的
　上記補正事項２は、誤記の訂正を目的とするものである。
　
　これに対し、上記補正事項１は、補正前の請求項１に「データを削除する場合に、一時廃棄場所にデータ移動した後、一時廃棄場所に含まれるデータを削除する二段階削除とする」との発明特定事項を付加するものである。
　そして、補正前の請求項１は、追加された発明特定事項の上位概念にあたる「データを削除」することについての発明特定事項を含んでいないので、上記「データを削除する場合に、一時廃棄場所にデータ移動した後、一時廃棄場所に含まれるデータを削除する二段階削除とする」との発明特定事項を付加することは、補正前の請求項１に記載された発明特定事項を限定するものとはいえない。
　また、上記補正事項１は、請求項の削除、誤記の訂正、あるいは明りょうでない記載の釈明の、いずれを目的としたものとも認められない。 
　
　したがって、本件補正は、平成１８年法律第５５号改正附則第３条第１項によりなお従前の例によるとされる同法による改正前の特許法（以下「改正前特許法」という。）第１７条の２第４項の規定に適合しないので、同法第１５９条第１項において読み替えて準用する同法第５３条第１項の規定により却下すべきものである。 
　
第３．本願発明
　上記のとおり、平成２４年８月１０日付の手続補正は却下されたので、本願の請求項１に係る発明（以下「本願発明」という。）は、平成２０年８月２９日付、平成２３年４月２１日手続補正書で補正された明細書、特許請求の範囲および図面の記載からみて、平成２３年４月２１日手続補正書で補正された特許請求の範囲の請求項１に記載された事項により特定される、次のとおりのものである。
　
「【請求項１】
被写体映像を電気信号に変換する撮像手段と、
前記撮像手段から出力された映像データを記録媒体に記録再生する記録再生手段と、
前記記録媒体に記録された複数の映像データに関する情報を一覧表示し、所定の処理を実行させるために画面の表示形態を切り替えて表示する表示手段と、
前記表示手段の画面に表示された複数の映像データに関する情報を処理するときに操作される操作スイッチ手段と、
前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段と、を有することを特徴とする撮像装置」
　
第４．引用例、および、引用発明
１．引用例１
　平成２４年４月４日付の原査定で引用された引用例１(特開平７−１８４１６０号公報)には、図面と共に以下の記載がある。
　
「【０００１】
【産業上の利用分野】本発明は画像及び音声の処理して、記録再生を行なう装置に関するものである。」
「【０００２】
【従来の技術】従来、画像及び音声データを処理し、記録する規格としてスチルビデオフォーマット方式が知られている。この従来のスチルビデオフォーマットは、画像データと音声データは夫々別のトラックにＦＭ記録される。また、音声トラックは関連する画像トラックのトラック番号を記録するためのフィールドをコントロールコードに設けられており、特定の画像についての注釈（識別情報）を記録できるようにしたものである。」
「【０００３】
【発明が解決しようとする問題点】しかしながら、上記のような従来のデジタル電子カメラにおいては、以下のような問題がある。
即ち、スチルビデオフォーマット方式では、音声トラックからの参照したい画像トラックの指定はできるが、画像トラックからは関連する音声トラックを指定できない。従って、音声データと画像データとの関連を確定するためには記録媒体であるスチルビデオフロッピー上の全てのトラックを検索して全ての音声トラックを再生し、参照したい画像トラックを見つけ出さなければならず必然的に多大な時間を必要とするため無駄が多く現実的ではないという欠点があった。」
「【００１３】
【実施例】以下、本発明の好適な実施例について、添付図面を参照して詳細に説明する。図１は、本実施例のデジタル電子カメラ本体のシステム構成を示すブロック図である。図１において、記録媒体１０１は、例えばＰＣＭＣＩＡ規格に準拠したメモリカ−ドやハードディスクなどである。音声入力回路２０及び音声出力部２２は、例えばオーディオジャックあるいはスピーカである。Ａ／Ｄ変換器２４は、音声信号をアナログ信号からデジタル信号に変換する装置で、Ｄ／Ａ変換器２５は、信号処理制御用ＣＰＵ１３から送られるデジタルの音声信号をアナログに変換する装置である。スイッチ２１は音声出力部２２への音声信号の送信を選択する選択回路である。メモリバスコントローラ１０２は、撮像信号処理部１９、信号処理制御用ＤＳＰ１３、画像表示用バッファメモリ１２、記録媒体Ｉ／Ｆ回路１０４の間での画像データ、音声データなどの転送を行う。」
「【００１４】Ｄ／Ａ変換機２６は画像表示用バッファメモリ１２からのデジタル画像データをアナログ映像信号に変換する装置であり、映像出力部２３はアナログに変換された映像信号を映像として表示する映像表示装置である。１は撮影レンズであり、２は絞り機能とシャッター機能を兼ねる絞り兼用シャッター、３はストロボ、メカ及び操作部制御用ＣＰＵ４は機械的な操作を行なう各操作部を制御し、駆動回路５はメカ系各部の駆動させる回路である。」
『【００１５】撮像素子６は被写体からの反射光を電気信号に変換するＣＣＤで、タイミング信号発生回路７は撮像素子６を動作させるために必要なタイミング信号を発生する（以下、「ＴＧ」と称する）。撮像素子駆動回路８はタイミング信号発生回路７からの信号を撮像信号の駆動可能なレベルに増幅する駆動回路で、前置処理回路９は撮像素子６で発生する出力ノイズ除去のためのＣＤＳ回路及びＡ／Ｄ変換前に行う非線形増幅回路を備える。Ａ／Ｄ変換器１０は前置処理後のデータをデジタルに変換する。信号処理制御用ＣＰＵ１３は信号処理部を制御する信号処理制御用ＤＳＰ（ＤＩＧＴＡＬ  ＳＩＧＮＡＬ  ＰＲＯＣＥＳＳＯＲ）であり、操作表示部１４は操作補助のための表示やカメラの状態を表わす表示部で、操作部１５はカメラを外部から制御するためのキーボード等の入力装置である。記録媒体Ｉ／Ｆ１０４は本実施例に基づくデジタル電子カメラと記録媒体１０１とを接続するための記録媒体Ｉ／Ｆ用回路である。そして、本実施例のカメラの記録媒体への記録ファイルフォーマットは、例えばＭＳーＤＯＳのようなファイルフォーマットを使用することができる。』
「【００１６】画像表示用バッファメモリ１２は信号処理制御用ＤＳＰ１３から画素単位でアクセスすることが可能であり、また撮影する画像を表示しながら任意の操作手段パネルを描画することができる。操作部１５にトラックボールなどを実装すれば、近年におけるパ−ソナルコンピュ−タにおけるポインティングデバイスを用いたＧＵＩ（Graphical User Interface）と同様のユーザーＩ／Ｆを実現できるようになっている。つまり信号処理制御用ＤＳＰ１３が画像表示用バッファに様々なコントロールパネルを描画して、ユーザーがそのコントロールパネルに対してポインティングデバイス（この場合トラックボール）によって操作することでカメラのあらゆる操作が可能となる。また信号処理制御用ＤＳＰ１３によって、画像やテキストや様々な図形を画像表示部に描画することでユーザーに対して撮影された画像、カメラの現在の状態、記録媒体上のファイル管理情報など多種多様な情報の提示が行われる。本実施例では以下操作部１５と上記ＧＵＩによるユーザーＩ／Ｆ操作を操作部１５による操作と称することとする。またポインティングデバイスによるクリックあるいはダブルクリック操作などを起動操作と称することとする。」
「【００３２】以上の説明により明らかなように本実施例のデジタル電子カメラは記録媒体に画像データ、音声データ、テキストデータの３種類のファイルを保持できる。
＜ファイルの一覧表示＞図５は、記録されたファイルの一覧を表示する表示形式を示す図である。３種のファイルをカメラの表示部に映像としてディレクトリ表示するときは信号処理制御用ＤＳＰ１３が記録媒体上に記録されているファイルを読み出し、ファイルデータの種類に応じて図５に示すように画像については画像ファイルを表現する索引画像５０１、音声、テキストは夫々５０２、５０４のようなアイコンとして表示する。これらの表示は記録時間順に表示したり、また画像だけ、音声だけ、テキストだけの表示を行うこともできる。またユーザーは索引画像、音声、テキストを表すアイコンをポインティングデバイスで選択したのち、消去ボタン５０９をクリックするとカメラは選択されたファイルの消去を行う。」
「【００３３】索引画像５０１の下部にある音声、テキストの夫々のアイコン５１１、５１２はその画像ファイルにリンクされたテキストや音声が存在するかどうかを示すためのものである。テキスト及び音声は後述する＜画像ファイルへの音声、テキストのリンク＞に従ってリンクされる。例えば、５１１、５１２のようにアイコンをグレーレベルにすることでデータが存在することを表現する。これらのアイコンをポインティングデバイスを用いて選択して起動させ、後述する＜音声の再生＞又は＜テキストの再生＞が行われる。」
「【００３４】図５において、画面の一部５１０は表示する索引画像やアイコンなどのオブジェクトが画面に入りきらないときにそれらを検索できるように上下にスクロールするためのスクロールバーである。これは近年のパ−ソナルコンピュ−タやワークステーションで用いられるウィンドウ表示のためのツールと同様に機能する。
＜画像の拡大及び再生＞図７は、拡大された画像の表示形式を示す図である。図７において一つの画像について拡大再生したい場合、ユーザーは操作部のポインティングデバイスを用いて一つの索引画像を選択して拡大命令（例えばボタンのダブルクリック）を行う。信号処理制御用ＤＳＰ１３は上記操作を検知すると選択された画像ファイルから圧縮画像データを読み出し、伸長して画像表示用バッファメモリに転送し画像表示部に表示する。このときの表示は、例えば図７に示すように拡大された画像の表示部７０１と各制御用ボタン７０２〜７０４、更にリンクされた複数の音声、テキストのアイコンとして夫々７０５、７０６などが表示される。」
「【００３５】ポインティングデバイスでボタン７０２を起動すると図７に表示された画像のパネルは閉じられて前述の図５の表示に戻る。
＜音声の再生＞次に、図５において、音声を再生したい場合、ユーザーは操作部のポインティングデバイスを用いて音声アイコンを選択して起動する。」
「【００３６】信号処理制御用ＤＳＰ１３はスイッチ回路２１を制御してＤ／Ａ変換器２５からの出力を音声出力部２２の入力に接続する。信号処理制御用ＤＳＰ１３は記録媒体Ｉ／Ｆ１０４、メモリバスコントローラ１０２を制御して音声データを読み出しＤ／Ａ変換器に記録時の標本化周期で出力し音声出力部２２から音声が出力される。」
「【００３７】＜テキストの再生＞更に、テキストを表示したい場合、ユーザは操作部のポインティングデバイスを用いてテキストアイコンを選択して起動する。図７は、テキストデータの表示形式を示す図である。信号処理制御用ＤＳＰ１３は記録媒体Ｉ／Ｆ１０４、メモリバスコントローラ１０２を制御してテキストデータを読み出しキャラクタビットパターン展開して例えば図６に示すようなテキストデータを画像表示用バッファメモリに転送し画像表示部に表示する。」
「【図１】
」
「【図５】
」
「【図６】
」
「【図７】
」
　
　ここで、上記記載について検討する。
　
　第一に、上記段落【０００３】の「しかしながら、上記のような従来のデジタル電子カメラにおいては、以下のような問題がある。」、段落【００１３】の「図１は、本実施例のデジタル電子カメラ本体のシステム構成を示すブロック図である。」との記載からみて、引用例１記載の発明は「デジタル電子カメラ」である。
　第二に、上記段落【００１３】〜【００１６】の記載からみて、引用例１記載の発明の「デジタル電子カメラ」は「被写体からの反射光を電気信号に変換する撮像素子６、撮像素子６を動作させるために必要なタイミング信号を発生するタイミング信号発生回路７、タイミング信号発生回路７からの信号を撮像信号の駆動可能なレベルに増幅する撮像素子駆動回路８、撮像素子６で発生する出力ノイズ除去のためのＣＤＳ回路及びＡ／Ｄ変換前に行う非線形増幅回路を備える前置処理回路９、前置処理後のデータをデジタルに変換するＡ／Ｄ変換器１０、信号処理制御用ＤＳＰ１３から画素単位でアクセスすることが可能であり、また撮影する画像を表示しながら任意の操作手段パネルを描画することができる画像表示用バッファメモリ１２、信号処理部を制御する信号処理制御用ＤＳＰ（ＤＩＧＴＡＬ  ＳＩＧＮＡＬ  ＰＲＯＣＥＳＳＯＲ）である信号処理制御用ＤＳＰ１３、操作補助のための表示やカメラの状態を表わす操作表示部１４、カメラを外部から制御するためのキーボード等の入力装置である操作部１５、ＰＣＭＣＩＡ規格に準拠したメモリカ−ドやハードディスクなどである記録媒体１０１、デジタル電子カメラと記録媒体１０１とを接続するための記録媒体Ｉ／Ｆ用回路である記録媒体Ｉ／Ｆ１０４」を有している。
　第三に、上記段落【００１６】の「操作部１５にトラックボールなどを実装すれば、近年におけるパ−ソナルコンピュ−タにおけるポインティングデバイスを用いたＧＵＩ（Graphical User Interface）と同様のユーザーＩ／Ｆを実現できるようになっている。つまり信号処理制御用ＤＳＰ１３が画像表示用バッファに様々なコントロールパネルを描画して、ユーザーがそのコントロールパネルに対してポインティングデバイス（この場合トラックボール）によって操作することでカメラのあらゆる操作が可能となる。また信号処理制御用ＤＳＰ１３によって、画像やテキストや様々な図形を画像表示部に描画することでユーザーに対して撮影された画像、カメラの現在の状態、記録媒体上のファイル管理情報など多種多様な情報の提示が行われる。」との記載、上記段落【００３２】の「図５は、記録されたファイルの一覧を表示する表示形式を示す図である。３種のファイルをカメラの表示部に映像としてディレクトリ表示するときは信号処理制御用ＤＳＰ１３が記録媒体上に記録されているファイルを読み出し、ファイルデータの種類に応じて図５に示すように画像については画像ファイルを表現する索引画像５０１、音声、テキストは夫々５０２、５０４のようなアイコンとして表示する。これらの表示は記録時間順に表示したり、また画像だけ、音声だけ、テキストだけの表示を行うこともできる。またユーザーは索引画像、音声、テキストを表すアイコンをポインティングデバイスで選択したのち、消去ボタン５０９をクリックするとカメラは選択されたファイルの消去を行う。」との記載、上記段落【００３４】の「図７において一つの画像について拡大再生したい場合、ユーザーは操作部のポインティングデバイスを用いて一つの索引画像を選択して拡大命令（例えばボタンのダブルクリック）を行う。信号処理制御用ＤＳＰ１３は上記操作を検知すると選択された画像ファイルから圧縮画像データを読み出し、伸長して画像表示用バッファメモリに転送し画像表示部に表示する。このときの表示は、例えば図７に示すように拡大された画像の表示部７０１と各制御用ボタン７０２〜７０４、更にリンクされた複数の音声、テキストのアイコンとして夫々７０５、７０６などが表示される。」、上記段落【００３７】の「＜テキストの再生＞更に、テキストを表示したい場合、ユーザは操作部のポインティングデバイスを用いてテキストアイコンを選択して起動する。図７は、テキストデータの表示形式を示す図である。信号処理制御用ＤＳＰ１３は記録媒体Ｉ／Ｆ１０４、メモリバスコントローラ１０２を制御してテキストデータを読み出しキャラクタビットパターン展開して例えば図６に示すようなテキストデータを画像表示用バッファメモリに転送し画像表示部に表示する。」との記載、および、【図５】【図６】【図７】の記載からみて、引用例１記載の発明の「信号処理制御用ＤＳＰ１３」は「画像表示用バッファメモリ１２にユーザーがそのコントロールパネルに対して操作部１５によって操作することでカメラのあらゆる操作が可能となる様々なコントロールパネルを描画し、また、ユーザーに対して撮影された画像、カメラの現在の状態、記録媒体上のファイル管理情報など多種多様な情報の提示するために、画像やテキストや様々な図形を描画することで、操作表示部１４に表示を行うものであって、ファイルデータの種類に応じて画像ファイルを表現する索引画像５０１、音声、テキストは夫々５０２、５０４のようなアイコンとして表示する記録されたファイルの一覧、拡大された画像の表示部７０１と各制御用ボタン７０２〜７０４、テキストデータの表示部６０１と制御用ボタン６０２を表示することができる」ものである。
　第四に、上記段落【００１６】の「本実施例では以下操作部１５と上記ＧＵＩによるユーザーＩ／Ｆ操作を操作部１５による操作と称することとする。」、上記段落【００３２】の「図５は、記録されたファイルの一覧を表示する表示形式を示す図である。３種のファイルをカメラの表示部に映像としてディレクトリ表示するときは信号処理制御用ＤＳＰ１３が記録媒体上に記録されているファイルを読み出し、ファイルデータの種類に応じて図５に示すように画像については画像ファイルを表現する索引画像５０１、音声、テキストは夫々５０２、５０４のようなアイコンとして表示する。これらの表示は記録時間順に表示したり、また画像だけ、音声だけ、テキストだけの表示を行うこともできる。またユーザーは索引画像、音声、テキストを表すアイコンをポインティングデバイスで選択したのち、消去ボタン５０９をクリックするとカメラは選択されたファイルの消去を行う。」との記載、上記段落【００３４】の「図７において一つの画像について拡大再生したい場合、ユーザーは操作部のポインティングデバイスを用いて一つの索引画像を選択して拡大命令（例えばボタンのダブルクリック）を行う。信号処理制御用ＤＳＰ１３は上記操作を検知すると選択された画像ファイルから圧縮画像データを読み出し、伸長して画像表示用バッファメモリに転送し画像表示部に表示する。このときの表示は、例えば図７に示すように拡大された画像の表示部７０１と各制御用ボタン７０２〜７０４、更にリンクされた複数の音声、テキストのアイコンとして夫々７０５、７０６などが表示される。」、上記段落【００３５】の「＜音声の再生＞次に、図５において、音声を再生したい場合、ユーザーは操作部のポインティングデバイスを用いて音声アイコンを選択して起動する。」、上記段落【００３６】の「信号処理制御用ＤＳＰ１３はスイッチ回路２１を制御してＤ／Ａ変換器２５からの出力を音声出力部２２の入力に接続する。信号処理制御用ＤＳＰ１３は記録媒体Ｉ／Ｆ１０４、メモリバスコントローラ１０２を制御して音声データを読み出しＤ／Ａ変換器に記録時の標本化周期で出力し音声出力部２２から音声が出力される。」、上記段落【００３７】の「＜テキストの再生＞更に、テキストを表示したい場合、ユーザは操作部のポインティングデバイスを用いてテキストアイコンを選択して起動する。図７は、テキストデータの表示形式を示す図である。信号処理制御用ＤＳＰ１３は記録媒体Ｉ／Ｆ１０４、メモリバスコントローラ１０２を制御してテキストデータを読み出しキャラクタビットパターン展開して例えば図６に示すようなテキストデータを画像表示用バッファメモリに転送し画像表示部に表示する。」との記載、および、【図５】【図６】【図７】の記載からみて、引用例１記載の発明の「操作部１５」は「操作表示部１４に表示されたファイルの一覧から一つを選択し起動することによって、ファイルの消去、画像の表示、音声の再生、テキストの表示を行う」ものである。
　
　したがって、引用例１には以下の発明(以下「引用発明１」という。)が記載されている。
　
「被写体からの反射光を電気信号に変換する撮像素子６、撮像素子６を動作させるために必要なタイミング信号を発生するタイミング信号発生回路７、タイミング信号発生回路７からの信号を撮像信号の駆動可能なレベルに増幅する撮像素子駆動回路８、撮像素子６で発生する出力ノイズ除去のためのＣＤＳ回路及びＡ／Ｄ変換前に行う非線形増幅回路を備える前置処理回路９、前置処理後のデータをデジタルに変換するＡ／Ｄ変換器１０、信号処理制御用ＤＳＰ１３から画素単位でアクセスすることが可能であり、また撮影する画像を表示しながら任意の操作手段パネルを描画することができる画像表示用バッファメモリ１２、信号処理部を制御する信号処理制御用ＤＳＰ（ＤＩＧＴＡＬ  ＳＩＧＮＡＬ  ＰＲＯＣＥＳＳＯＲ）である信号処理制御用ＤＳＰ１３、操作補助のための表示やカメラの状態を表わす操作表示部１４、カメラを外部から制御するためのキーボード等の入力装置である操作部１５、ＰＣＭＣＩＡ規格に準拠したメモリカ−ドやハードディスクなどである記録媒体１０１、デジタル電子カメラと記録媒体１０１とを接続するための記録媒体Ｉ／Ｆ用回路である記録媒体Ｉ／Ｆ１０４を有し、
　上記信号処理制御用ＤＳＰ１３は、画像表示用バッファメモリ１２にユーザーがそのコントロールパネルに対して操作部１５によって操作することでカメラのあらゆる操作が可能となる様々なコントロールパネルを描画し、また、ユーザーに対して撮影された画像、カメラの現在の状態、記録媒体上のファイル管理情報など多種多様な情報の提示するために、画像やテキストや様々な図形を描画することで、操作表示部１４に表示を行うものであって、ファイルデータの種類に応じて画像ファイルを表現する索引画像５０１、音声、テキストは夫々５０２、５０４のようなアイコンとして表示する記録されたファイルの一覧、拡大された画像の表示部７０１と各制御用ボタン７０２〜７０４、テキストデータの表示部６０１と制御用ボタン６０２を表示することができ、
　上記操作部１５は、操作表示部１４に表示されたファイルの一覧から一つを選択し起動することによって、ファイルの消去、画像の表示、音声の再生、テキストの表示を行うことができる、
　デジタル電子カメラ。」
　
２．引用例２
　平成２４年４月４日付の原査定で引用された引用例２(特開平６−６０６２０号公報)には、図面と共に以下の記載がある。
　
「【００１０】バーコード１８が貼られたカセット１が挿入された状態でタイマ予約録画を実行するには、まず、予約の設定を行なわなければならない。図４はキー入力装置１６を構成するキーを表す図であり、使用者が予約キー４２を押すと図５に示す予約設定画面がモニタ１６にＯＳＤ表示される。同図５１は設定項目が選択された状態を表し、５２は使用者にキー入力装置１６の操作方法を分かりやすくするための操作ガイド表示を表す。使用者はキー入力装置１６に設けられた左キー４４または右キー４６によって設定項目を選択する。選択項目としては予約録画の日付け、開始終了の時刻などと共に、後で検索する場合に便利なようにその番組がどの分野に属するかを表すキーワード（以下、ジャンルと称する。）とそれを表す記号などがある。前記ジャンルと記号の例として図３に示すものが考えられ、その中の映画では同図３１が映画を表現するための記号である。記号３１はそれ自体で映画を連想でき得るものであり、ジャンルと記号の両方、あるいはジャンルか記号のいずれか一方が表示されれば、検索する場合にその番組がいずれの分野に属するものなのかが判別できる。図５のモニタ１３への表示において、使用者が選択項目例えばジャンルと記号を選択し、上キー４３または下キー４５を操作すると図３に示すジャンルと記号が順次表示され、実行キー４７を押すことにより、番組のジャンルと記号が決定すると同時にタイマ予約の設定が完了する。」
「【図３】
」
「【図４】
」
「【図５】
」
　
　ここで、【図３】に表示される「操作ガイド３２」と【図５】に表示される「操作ガイド５２」を比較すると、表示される操作ガイドが画面毎に異なるものであって、その画面での操作に対応するものであることが見てとれる。
　
　したがって、引用例２には「キー入力装置１６の操作方法を分かりやすくするために、キー入力装置１６に対応し、画面毎に異なり、その画面での操作に対応する操作ガイド表示３２，５２を表示すること」(以下「引用発明２」という。)が記載されている。
　
第５．対比
　本願発明と引用発明１を対比する。
　
１．「被写体映像を電気信号に変換する撮像手段」
　引用発明１は「被写体からの反射光を電気信号に変換する撮像素子６」を有しているから、引用発明１の「被写体からの反射光を電気信号に変換する撮像素子６」と本願発明の「被写体映像を電気信号に変換する撮像手段」が一致する。
　
２．「前記撮像手段から出力された映像データを記録媒体に記録再生する記録再生手段」
　引用発明１は「ＰＣＭＣＩＡ規格に準拠したメモリカ−ドやハードディスクなどである記録媒体１０１、デジタル電子カメラと記録媒体１０１とを接続するための記録媒体Ｉ／Ｆ用回路である記録媒体Ｉ／Ｆ１０４」を有しているから、引用発明１の「ＰＣＭＣＩＡ規格に準拠したメモリカ−ドやハードディスクなどである記録媒体１０１、デジタル電子カメラと記録媒体１０１とを接続するための記録媒体Ｉ／Ｆ用回路である記録媒体Ｉ／Ｆ１０４」と本願発明の「前記撮像手段から出力された映像データを記録媒体に記録再生する記録再生手段」が一致する。
　
３．「前記記録媒体に記録された複数の映像データに関する情報を一覧表示し、所定の処理を実行させるために画面の表示形態を切り替えて表示する表示手段」
　引用発明１は「信号処理制御用ＤＳＰ１３から画素単位でアクセスすることが可能であり、また撮影する画像を表示しながら任意の操作手段パネルを描画することができる画像表示用バッファメモリ１２、信号処理部を制御する信号処理制御用ＤＳＰ（ＤＩＧＴＡＬ  ＳＩＧＮＡＬ  ＰＲＯＣＥＳＳＯＲ）である信号処理制御用ＤＳＰ１３、操作補助のための表示やカメラの状態を表わす操作表示部１４、カメラを外部から制御するためのキーボード等の入力装置である操作部１５」を有し「上記信号処理制御用ＤＳＰ１３は、画像表示用バッファメモリ１２にユーザーがそのコントロールパネルに対して操作部１５によって操作することでカメラのあらゆる操作が可能となる様々なコントロールパネルを描画し、また、ユーザーに対して撮影された画像、カメラの現在の状態、記録媒体上のファイル管理情報など多種多様な情報の提示するために、画像やテキストや様々な図形を描画することで、操作表示部１４に表示を行うものであって、ファイルデータの種類に応じて画像ファイルを表現する索引画像５０１、音声、テキストは夫々５０２、５０４のようなアイコンとして表示する記録されたファイルの一覧、拡大された画像の表示部７０１と各制御用ボタン７０２〜７０４、テキストデータの表示部６０１と制御用ボタン６０２を表示することができ」るものであり、かつ、「上記操作部１５は、操作表示部１４に表示されたファイルの一覧から一つを選択し起動することによって、ファイルの消去、画像の表示、音声の再生、テキストの表示を行うことができる」ものである。
　ここで、これら「操作表示部１４」に表示される「ファイルデータの種類に応じて画像ファイルを表現する索引画像５０１、音声、テキストは夫々５０２、５０４のようなアイコンとして表示する記録されたファイルの一覧」「拡大された画像の表示部７０１と各制御用ボタン７０２〜７０４」「テキストデータの表示部６０１と制御用ボタン６０２」は「操作部１５」の操作によって切り換えられているから、引用発明１の「ファイルデータの種類に応じて画像ファイルを表現する索引画像５０１、音声、テキストは夫々５０２、５０４のようなアイコンとして表示する記録されたファイルの一覧」と本願発明の「前記記録媒体に記録された複数の映像データに関する情報を一覧表示」、引用発明１の「拡大された画像の表示部７０１と各制御用ボタン７０２〜７０４」「テキストデータの表示部６０１と制御用ボタン６０２」と本願発明の「所定の処理を実行させるために画面の表示形態」が対応する。
　したがって、引用発明１の「操作補助のための表示やカメラの状態を表わす操作表示部１４」と本願発明の「前記記録媒体に記録された複数の映像データに関する情報を一覧表示し、所定の処理を実行させるために画面の表示形態を切り替えて表示する表示手段」が一致する。
　
４．「前記表示手段の画面に表示された複数の映像データに関する情報を処理するときに操作される操作スイッチ手段」
　引用発明１の「カメラを外部から制御するためのキーボード等の入力装置である操作部１５」を有し「上記操作部１５は、操作表示部１４に表示されたファイルの一覧から一つを選択し起動することによって、ファイルの消去、画像の表示、音声の再生、テキストの表示を行うことができる」ものであるから、引用発明１の「カメラを外部から制御するためのキーボード等の入力装置である操作部１５」と本願発明の「前記表示手段の画面に表示された複数の映像データに関する情報を処理するときに操作される操作スイッチ手段」が一致する。
　
５．「前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段」
　引用発明１の「上記信号処理制御用ＤＳＰ１３は、画像表示用バッファメモリ１２にユーザーがそのコントロールパネルに対して操作部１５によって操作することでカメラのあらゆる操作が可能となる様々なコントロールパネルを描画し、また、ユーザーに対して撮影された画像、カメラの現在の状態、記録媒体上のファイル管理情報など多種多様な情報の提示するために、画像やテキストや様々な図形を描画することで、操作表示部１４に表示を行うものであって、ファイルデータの種類に応じて画像ファイルを表現する索引画像５０１、音声、テキストは夫々５０２、５０４のようなアイコンとして表示する記録されたファイルの一覧、拡大された画像の表示部７０１と各制御用ボタン７０２〜７０４、テキストデータの表示部６０１と制御用ボタン６０２を表示することができ」るものであって、これら「操作表示部１４」に表示される「ファイルデータの種類に応じて画像ファイルを表現する索引画像５０１、音声、テキストは夫々５０２、５０４のようなアイコンとして表示する記録されたファイルの一覧」「拡大された画像の表示部７０１と各制御用ボタン７０２〜７０４」「テキストデータの表示部６０１と制御用ボタン６０２」は、本願発明の「前記表示手段により切り替えて表示される所定の処理を実行させるための複数の表示形態の画面各々」と一致する。
　しかしながら、引用発明１は、なんら「操作スイッチ表示による処理内容をガイド表示する」ものではないから、本願発明の「制御手段」は「前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する」のに対し、引用発明１はこの「制御手段」に対応する構成を有さない点で相違する。
　
６．「撮像装置」
　引用発明１は「デジタル電子カメラ」であるから、引用発明１と本願発明は、いずれも「撮像装置」である点で一致している。
　　
第６．一致点・相違点
　上記「第５．対比」で述べたことをまとめると、本願発明と引用発明１は、
　
[一致点]
「被写体映像を電気信号に変換する撮像手段と、
前記撮像手段から出力された映像データを記録媒体に記録再生する記録再生手段と、
前記記録媒体に記録された複数の映像データに関する情報を一覧表示し、所定の処理を実行させるために画面の表示形態を切り替えて表示する表示手段と、
前記表示手段の画面に表示された複数の映像データに関する情報を処理するときに操作される操作スイッチ手段と、
を有することを特徴とする撮像装置。」
　
　という点で一致し、
　
[相違点]
　本願発明の「制御手段」は「前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する」のに対し、引用発明１はこの「制御手段」に対応する構成を有さない点。
　
　という点で相違する。
　
第７．当審の判断
　上記「第４．引用例、および、引用発明」「２．引用例２」で述べたように、引用発明２は「キー入力装置１６の操作方法を分かりやすくするために、キー入力装置１６に対応し、画面毎に異なり、その画面での操作に対応する操作ガイド表示３２，５２を表示すること」である。
　
　ここで、一般のユーザが用いる電子機器において、操作性を向上させることは周知の課題であるといえ、その解決手段としてなんらかのガイド表示を行うことも極めて良く行われているということができるから、引用発明１においてもなんらかのガイド表示を行おうとすることは当業者が自然に思いつくことにすぎず、上記引用発明２に基づき、引用発明１に「前記表示手段により切り替えて表示される所定の処理を実行させるための複数の表示形態の画面各々において実行可能な処理の操作スイッチ表示を前記操作スイッチ手段の操作スイッチに対応させて一覧表示するとともに、前記複数の表示形態に応じて異なって設定された前記操作スイッチ表示による処理内容をガイド表示するように制御する制御手段」を付加したことは、当業者が容易に想到し得たことにすぎない。
　また、本願発明の効果は、その構成から当業者が容易に予測し得るものであり、格別顕著なものがあるとは認められない。
　
　したがって、本願発明は引用発明１，２記載の発明に基づき当業者が容易に発明できたものである。
　
第８．むすび
　以上のように、本願の請求項１に係る発明は、引用例１，２に記載された発明に基いて当業者が容易に発明をすることができたものであるから、特許法第２９条第２項の規定により特許を受けることができない。 
　したがって、残る請求項２〜６に係る発明について検討をするまでもなく、本件出願は拒絶をすべきものである。 
　
　よって、結論のとおり審決する。